【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
ワイヤレスネットワークの管理のために知覚信号対ノイズ指示（ＰＳＮＩ）を決定する方法であって、
受信デバイス内における所定の場所で取得された信号を測定することにより入手されたパラメータに前記ＰＳＮＩを基づかせるステップと、
前記受信デバイスで入手されたフレームエラーレート（ＦＥＥ）に関して、ＰＳＮＩインジケータ値を指定するステップと、
前記測定ポイントを基準として下流での損失を明らかにするため前記パラメータを調整するステップと、
を含むことを特徴とする方法。
【請求項２】
前記ネットワークの再構成および管理を促進してネットワーク性能を最適化するために、信号品質インジケータとしてＰＳＮＩパラメータを用いるステップをさらに含む、ことを特徴とする請求項１に記載の方法。
【請求項３】
前記下流損失は、前方誤り訂正（ＦＥＣ）デコーダのデコーダ損失を含む、ことを特徴とする請求項１に記載の方法。
【請求項４】
前記パラメータは、前記受信デバイス内のデモジュレータから入手される、ことを特徴とする請求項１に記載の方法。
【請求項５】
前記パラメータは、データレートに関して不変である、ことを特徴とする請求項１に記載の方法。
【請求項６】
前記パラメータは、ベースバンド位相ジッタおよびベースバンドエラーベクトル振幅のいずれか一方である、ことを特徴とする請求項１に記載の方法。
【請求項７】
前記パラメータは、拡散コード相関品質である、ことを特徴とする請求項１に記載の方法。
【請求項８】
前記受信デバイスのための受信アンテナの出力における測定結果を得るステップをさらに含む、ことを特徴とする請求項１に記載の方法。
【請求項９】
前記パラメータは、周波数トラッキング安定性およびチャネルトラッキング安定性のいずれか一方である、ことを特徴とする請求項１に記載の方法。
【請求項１０】
前記ＰＳＮＩ値を指定するステップは、
少なくとも１つの特定のデータレート／デモジュレータ／前方誤り訂正（ＦＥＣ）のコンビネーションポイントで入手された前記ＦＥＲに関してＰＳＮＩインジケータ値を指定することをさらに含む、ことを特徴とする請求項１に記載の方法。
【請求項１１】
前記受信デバイス内に設けられているデモジュレータの内部ポイントにおいて前記測定結果を得るステップをさらに含む、ことを特徴とする請求項１に記載の方法。
【請求項１２】
前記受信デバイスの一部である無線フロントエンドの出力において前記測定ポイントを得るステップをさらに含む、ことを特徴とする請求項１に記載の方法。
【請求項１３】
前記受信デバイス内に設けられているデモジュレータの出力において前記測定結果を得るステップをさらに含む、ことを特徴とする請求項１に記載の方法。
【請求項１４】
前記ＰＳＮＩは、対数的にスケーリングされる、ことを特徴とする請求項１に記載の方法。
【請求項１５】
ワイヤレスネットワーク管理において使用する方法であって、
受信位置の測定ポイントで信号を測定することにより知覚信号対ノイズ指示（ＰＳＮＩ）を決定するステップであって、信号対ノイズおよび干渉値Ｓ／（Ｎ＋Ｉ）は、前記測定した信号のパラメータから決定されることと、
前記測定ポイントを基準として下流での損失を補償するために前記パラメータを調整するステップと、
を含むことを特徴とする方法。
【請求項１６】
前記信号は、前記受信位置にあるデモジュレータのポイントで測定される、ことを特徴とする請求項１５に記載の方法。
【請求項１７】
前記信号は、前記受信位置にある受信機のポイントで測定される、ことを特徴とする請求項１５に記載の方法。
【請求項１８】
前記信号をベースバンドに変換するステップと、
ベースバンド電力を一定に保つために、前記ベースバンド信号を自動ゲイン制御するステップと、
をさらに含むことを特徴とする請求項１５に記載の方法。
【請求項１９】
前記ＰＳＮＩは、受信、アナログ−デジタル変換、および前記信号の物理層（ＰＨＹ）固有の復調の後で入手され、かつ前方誤り訂正（ＦＥＣ）デコーダから入手された観測フレームエラーレートに直接関連する、ことを特徴とする請求項１８に記載の方法。
【請求項２０】
フレームエラーレート（ＦＥＲ）は、フレームチェック巡回冗長検査（ＣＲＣ）から入手される、ことを特徴とする請求項１９に記載の方法。
【請求項２１】
ワイヤレスネットワークを管理するための装置であって、
測定ポイントで信号を測定することにより知覚信号対ノイズ指示（ＰＳＮＩ）を決定する手段であって、前記ＰＳＮＩは、測定ポイントで入手された前記信号のパラメータに基づいて決定されることと、
前記測定ポイントを基準として下流でのデコーダ損失を明らかにするために前記パラメータを調整する手段と、
を備えることを特徴とする装置。
【請求項２２】
前記ＰＳＮＩ値を、前記測定ポイントを基準として下流で入手されたフレームエラーレート（ＦＥＲ）に関連づける手段さらに備える、ことを特徴とする請求項２１に記載の装置。
【請求項２３】
前記ＰＳＮＩ値を関連づける手段は、
少なくとも１つの特定のデータレート／デモジュレータ／前方誤り訂正（ＦＥＣ）のコンビネーションポイントで入手された前記ＦＥＲに関して前記ＰＳＮＩ値を指定する手段をさらに備える、ことを特徴とする請求項２２に記載の装置。
【請求項２４】
前記測定ポイントは、受信機内に設けられているデモジュレータの内部のポイントである、ことを特徴とする請求項２１に記載の装置。
【請求項２５】
前記測定ポイントは、前記受信機に受信信号を配信する受信アンテナの出力に位置している、ことを特徴とする請求項２１に記載の装置。
【請求項２６】
前記測定ポイントは、前記受信機の一部である無線フロントエンドの出力に位置している、ことを特徴とする請求項２１に記載の装置。
【請求項２７】
前記測定ポイントは、前記受信機のデモジュレータである出力に位置している、ことを特徴とする請求項２５に記載の装置。
【請求項２８】
前記ＰＳＮＩは、対数的にスケーリングされる、ことを特徴とする請求項２１に記載の装置。
【請求項２９】
ワイヤレスネットワークを管理するための装置であって、
測定ポイントで信号を測定することにより知覚信号対ノイズ指示（ＰＳＮＩ）を決定する手段であって、信号対ノイズおよび干渉値Ｓ／（Ｎ＋Ｉ）は、前記信号を受信するデモジュレータにおける信号のパラメータから決定されることと、
前記デモジュレータを基準として下流での損失を明らかにするために前記パラメータを調整する手段と、
を備えることを特徴とする装置。
【請求項３０】
前記信号をベースバンドに変換する手段と、
ベースバンド電力を一定に保つために、前記ベースバンド信号を自動ゲイン制御する手段と、
をさらに備えることを特徴とする請求項２９に記載の装置。
【請求項３１】
前記測定ポイントは、受信機、アナログ−デジタルコンバータ、およびデモジュレータに対して下流であり、前方誤り訂正（ＦＥＣ）デコーダから入手された、観測されたフレームエラーレートに直接関連する、ことを特徴とする請求項３０に記載の装置。
【請求項３２】
フレームエラーレート（ＦＥＲ）は、フレーム巡回冗長検査（ＣＲＣ）を利用することによって入手される、ことを特徴とする請求項３０に記載の装置。
【請求項３３】
前記調整する手段は、
前記デモジュレータを基準として下流で起こる前方誤り訂正デコーダ損失を明らかにするために前記パラメータを調整する手段を備える、ことを特徴とする請求項２９に記載の装置。
【請求項３４】
前方誤り訂正（ＦＥＣ）デコーダと、
前記デコーダに入力された正しい入力ビットのレプリカを作成する手段と、
前記作成された入力ビットを、前記デコーダに入力された対応するビットと比較して、ビットエラーレート（ＢＥＲ）を決定する手段と、
前記ＢＥＲおよび前記ＦＥＣデコーダの出力に応答して、フレームエラーレート（ＦＥＲ）を推定する手段と、
をさらに備えることを特徴とする請求項２９に記載の装置。
【請求項３５】
前記パラメータは、ベースバンド位相ジッタおよびベースバンドエラーベクトル振幅のいずれか一方である、ことを特徴とする請求項２９に記載の装置。
【請求項３６】
前記パラメータは、拡散コード相関品質である、ことを特徴とする請求項２９に記載の装置。
【請求項３７】
前記パラメータは、周波数トラッキング安定性およびチャネルトラッキング安定性のいずれか一方である、ことを特徴とする請求項２９に記載の装置。
【請求項３８】
信号品質インジケータとして入手されたＰＳＮＩを利用することにより、ネットワーク性能を最適化するために前記ネットワークの再構成および管理を促進する手段をさらに備える、ことを特徴とする請求項２９に記載の装置。
【請求項３９】
前記測定ポイントは、受信機内に設けられているデモジュレータの内部のポイントである、ことを特徴とする請求項３０に記載の装置。
【請求項４０】
前記測定ポイントは、前記受信機に受信信号を配信する受信アンテナの出力に位置する、ことを特徴とする請求項２９に記載の装置。
【請求項４１】
前記測定ポイントは、前記受信機の一部である無線フロントエンドの出力に位置する、ことを特徴とする請求項２９に記載の装置。
【請求項４２】
前記測定ポイントは、前記受信機のデモジュレータである出力に位置する、ことを特徴とする請求項２９に記載の装置。